【手続補正書】
【提出日】平成17年4月13日(2005.4.13)
【手続補正１】
【補正対象書類名】明細書
【補正対象項目名】特許請求の範囲
【補正方法】変更
【補正の内容】
【特許請求の範囲】
【請求項１】
送信端末と複数の受信端末より構成される通信ネットワークシステム内で、前記送信端末から前記受信端末へデータが送信される際の通信方法において、
前記複数の受信端末の一つである第１受信端末が前記送信端末からのデータを受信する際、
前記第１受信端末以外の受信端末を前記第１受信端末に対する補助端末として設定した後、
前記送信端末から送信されるデータが前記第１受信端末及び前記補助端末で受信され、
前記補助端末で正しく受信された前記送信端末からのデータが前記第１受信端末に送信されることを特徴とする通信方法。
【請求項２】
前記第１受信端末が受信できなかったデータを前記補助端末装置に通知する通知信号を送信した後、
前記補助端末が、受信した前記通知信号に基づいて、前記第１受信端末で受信されなかったデータのうち前記補助端末で正しく受信されたデータを、前記第１受信端末に送信することを特徴とする請求項１に記載の通信方法。
【請求項３】
前記通知信号が、受信したデータを示すＡＣＫ信号であることを特徴とする請求項２に記載の通信方法。
【請求項４】
前記第１受信端末において、受信した前記送信端末からのデータと前記補助端末からのデータの集合和をとることで得たデータを、前記送信端末からの受信データとすることを特徴とする請求項１〜請求項３のいずれかに記載の通信方法。
【請求項５】
前記第１受信端末が、前記第１受信端末で集合和をとることで得た受信データに基づいて、前記第１受信端末で受信できなかったデータを前記送信端末に通知する第１再送要求信号を生成し、該第１再送要求信号を前記送信端末に直接あるいは前記補助端末経由で送信することを特徴とする請求項４に記載の通信方法。
【請求項６】
前記第１受信端末が、前記第１受信端末で受信できなかったデータを通知する第２再送要求信号を生成して、該第２再送要求信号を前記送信端末に送信するとともに、
前記補助端末が、前記補助端末で受信できなかったデータを通知する第３再送要求信号を生成して、該第３再送要求信号を前記送信端末に送信し、
前記第２及び第３再送要求信号を受信した前記送信端末が、前記第２及び第３再送要求信号に基づいて、前記第１受信端末及び前記補助端末のいずれの端末においても受信されなかったデータを再送することを特徴とする請求項１〜請求項４のいずれかに記載の通信方法。
【請求項７】
前記補助端末が、前記補助端末で受信できなかったデータを通知する第３再送要求信号を生成して、該第３再送要求信号を前記第１受信端末に送信し、
前記補助端末からの前記第３再送要求信号を受信した前記第１受信端末は、前記第１受信端末で受信したデータと前記補助端末からの前記第３再送要求信号とに基づいて、前記第１受信端末及び前記補助端末のいずれの端末においても受信されず前記送信端末に再送要求するデータを通知する第４再送要求信号を生成し、該第４再送要求信号を前記送信端末に送信することを特徴とする請求項１〜請求項４のいずれかに記載の通信方法。
【請求項８】
前記第１受信端末が、前記第１受信端末で受信できなかったデータを通知する第２再送要求信号を生成して、該第２再送要求信号を前記補助端末に送信し、
前記第１受信端末からの前記第２再送要求信号を受信した前記補助端末は、前記補助端末で受信したデータと前記第１受信端末からの前記第２再送要求信号とに基づいて、前記第１受信端末及び前記補助端末のいずれの端末においても受信されず前記送信端末に再送要求するデータを通知する第５再送要求信号を生成し、該第５再送要求信号を前記送信端末に送信することを特徴とする請求項１〜請求項４のいずれかに記載の通信方法。
【請求項９】
前記再送要求信号が、受信したデータを示すＡＣＫ信号であることを特徴とする請求項５〜請求項８のいずれかに記載の通信方法。
【請求項１０】
送信端末と複数の受信端末より構成される通信ネットワークシステム内で、前記送信端末から前記受信端末へデータが送信される際の通信方法において、
前記複数の受信端末の一つである第１及び第２受信端末が前記送信端末からのデータを受信する際、
前記第１受信端末が正しく受信した前記送信端末からのデータを前記第２受信端末に送信し、
前記第２受信端末が正しく受信した前記送信端末からのデータを前記第１受信端末に送信することを特徴とする通信方法。
【請求項１１】
前記第１受信端末が、前記第２受信端末から送信されたデータを受信したとき、当該第２受信端末から送信されたデータと前記第１受信端末が正しく受信した前記送信端末から送信されたデータとに基づいて、前記送信端末から送信されたデータのうち前記第２受信端末が正しく受信できなかった不足データを認識し、当該不足データを前記第２受信端末に送信することを特徴とする請求項１０に記載の通信方法。
【請求項１２】
前記第１受信端末が受信できなかったデータを前記第２受信端末装置に通知する第１通知信号を送信した後、
前記第２受信端末が、
受信した前記第１通知信号に基づいて、前記第１受信端末で受信されなかったデータを認識し、
前記第１受信端末で受信されなかったデータのうち前記第２受信端末で正しく受信されたデータを前記第１受信端末に送信することを特徴とする請求項１０又は請求項１１に記載の通信方法。
【請求項１３】
前記第１受信端末が受信できなかったデータを前記第２受信端末装置に通知する第１通知信号を送信した後、
前記第２受信端末が、
受信した前記第１通知信号に基づいて、前記第１受信端末で受信されなかったデータを認識し、
前記第１受信端末で受信されなかったデータのうち前記第２受信端末で正しく受信されたデータと、前記第２受信端末が受信できなかったデータを前記第１受信端末装置に通知する第２通知信号とを、前記第１受信端末に送信し、
前記第１受信端末が、
受信した前記第２通知信号に基づいて、前記第２受信端末で受信されなかったデータを認識し、
前記第２受信端末で受信されなかったデータのうち前記第１受信端末で正しく受信されたデータを、前記第２受信端末に送信することを特徴とする請求項１０〜請求項１２のいずれかに記載の通信方法。
【請求項１４】
前記通知信号が、受信したデータを示すＡＣＫ信号であることを特徴とする請求項１２又は請求項１３に記載の通信方法。
【請求項１５】
送信端末と複数の受信端末とによって構成される通信ネットワークシステムにおいて、
請求項１〜請求項１４のいずれかに記載の通信方法を利用して、前記送信端末から前記受信端末にデータが送信されることを特徴とする通信ネットワークシステム。
【請求項１６】
前記通信ネットワークシステム内のいずれかの端末が、前記送信端末と前記受信端末との間の通信路状態を測定し、
当該通信路状態が劣化したときに、請求項１〜請求項１４のいずれかに記載の通信方法を利用して前記送信端末と前記受信端末との間で通信が行われる通信補助モードに移行することを特徴とする請求項１５に記載の通信方法及び通信端末装置及び通信ネットワークシステム。
【請求項１７】
請求項１５又は請求項１６に記載の通信ネットワークシステムにおける送信端末としての機能を備えることを特徴とする通信端末装置。
【請求項１８】
請求項１５又は請求項１６に記載の通信ネットワークシステムにおける受信端末としての機能を備えることを特徴とする通信端末装置。
【手続補正２】
【補正対象書類名】明細書
【補正対象項目名】００１７
【補正方法】変更
【補正の内容】
【００１７】
このような通信方法において、前記第１受信端末が受信できなかったデータを前記補助端末装置に通知する通知信号を送信した後、前記補助端末が、受信した前記通知信号に基づいて、前記第１受信端末で受信されなかったデータのうち前記補助端末で正しく受信されたデータを、前記第１受信端末に送信するようにしても構わない。更に、このとき、前記通知信号を、受信したデータを示すＡＣＫ信号としてもよい。
【手続補正３】
【補正対象書類名】明細書
【補正対象項目名】００２０
【補正方法】変更
【補正の内容】
【００２０】
又、前記第１受信端末が、前記第１受信端末で集合和をとることで得た受信データに基づいて、前記第１受信端末で受信できなかったデータを前記送信端末に通知する第１再送要求信号を生成し、該第１再送要求信号を前記送信端末に送信するようにしても構わない。このとき、この第１再送要求信号が直接送信端末に送信されても構わないし、補助端末を介して送信されても構わない。
【手続補正４】
【補正対象書類名】明細書
【補正対象項目名】００２２
【補正方法】変更
【補正の内容】
【００２２】
又、前記第１受信端末が、前記第１受信端末で受信できなかったデータを通知する第２再送要求信号を生成して、該第２再送要求信号を前記送信端末に送信するとともに、前記補助端末が、前記補助端末で受信できなかったデータを通知する第３再送要求信号を生成して、該第３再送要求信号を前記送信端末に送信し、前記第２及び第３再送要求信号を受信した前記送信端末が、前記第２及び第３再送要求信号に基づいて、前記第１受信端末及び前記補助端末のいずれの端末においても受信されなかったデータを再送するようにしても構わない。
【手続補正５】
【補正対象書類名】明細書
【補正対象項目名】００２４
【補正方法】変更
【補正の内容】
【００２４】
又、前記補助端末が、前記補助端末で受信できなかったデータを通知する第３再送要求信号を生成して、該第３再送要求信号を前記第１受信端末に送信し、前記補助端末からの前記第３再送要求信号を受信した前記第１受信端末は、前記第１受信端末で受信したデータと前記補助端末からの前記第３再送要求信号とに基づいて、前記第１受信端末及び前記補助端末のいずれの端末においても受信されず前記送信端末に再送要求するデータを通知する第４再送要求信号を生成し、該第４再送要求信号を前記送信端末に送信するようにしても構わない。
【手続補正６】
【補正対象書類名】明細書
【補正対象項目名】００２６
【補正方法】変更
【補正の内容】
【００２６】
又、前記第１受信端末が、前記第１受信端末で受信できなかったデータを通知する第２再送要求信号を生成して、該第２再送要求信号を前記補助端末に送信し、前記第１受信端末からの前記第２再送要求信号を受信した前記補助端末は、前記補助端末で受信したデータと前記第１受信端末からの前記第２再送要求信号とに基づいて、前記第１受信端末及び前記補助端末のいずれの端末においても受信されず前記送信端末に再送要求するデータを通知する第５再送要求信号を生成し、該第５再送要求信号を前記送信端末に送信する。
【手続補正７】
【補正対象書類名】明細書
【補正対象項目名】００３１
【補正方法】変更
【補正の内容】
【００３１】
又、前記第１受信端末が受信できなかったデータを前記第２受信端末装置に通知する第１通知信号を送信した後、前記第２受信端末が、受信した前記第１通知信号に基づいて、前記第１受信端末で受信されなかったデータを認識し、前記第１受信端末で受信されなかったデータのうち前記第２受信端末で正しく受信されたデータを、前記第１受信端末に送信するようにしても構わない。更に、前記第２受信端末が、前記第２受信端末が受信できなかったデータを前記第１受信端末装置に通知する第２通知信号を送信し、前記第１受信端末が、受信した前記第２通知信号に基づいて、前記第２受信端末で受信されなかったデータを認識し、前記第２受信端末で受信されなかったデータのうち前記第１受信端末で正しく受信されたデータを、前記第２受信端末に送信するようにしても構わない。更に、前記通知信号を、受信したデータを示すＡＣＫ信号としても構わない。